(57)【要約】【課題】周辺環境に与える影響を考慮した建物等の配置計画を簡易迅速に立案できるようにする配置計画支援装置を提供すること。【解決手段】立体形状オブジェクトＴ１〜Ｔ３を画面に表示する画像表示手段Ｇと、画面上において立体形状オブジェクトＴ１〜Ｔ３を移動させるためのポインティングデバイスＰと、画面上に表示された立体形状オブジェクトＴ１〜Ｔ３の位置および向きを反映した三次元解析モデルを作成する解析モデル作成手段１３と、三次元解析モデルを使用して、計画対象物が周辺環境に及ぼす影響をシミュレーションする解析手段１５と、を具備する配置計画支援装置１００であって、解析モデル作成手段１３は、立体形状オブジェクトＴ１〜Ｔ３を内包する三次元解析領域Ｒに直交メッシュを形成するとともに、直方体セルの集合体Ｔ１’〜Ｔ３’を立体形状オブジェクトＴ１〜Ｔ３の解析モデルとすることで、三次元解析モデルを作成する。【選択図】図１
2010262497.tif 000002
【特許請求の範囲】
【請求項１】
計画対象物の立体形状オブジェクトを画面に表示する画像表示手段と、
画面上において前記立体形状オブジェクトを移動させるためのポインティングデバイスと、
画面上に表示された前記立体形状オブジェクトの位置および向きを反映した数値解析用の三次元解析モデルを作成する解析モデル作成手段と、
前記三次元解析モデルを使用して、前記計画対象物が周辺環境に及ぼす影響をシミュレーションする解析手段と、を具備する配置計画支援装置であって、
前記解析モデル作成手段は、前記立体形状オブジェクトを内包する三次元解析領域に直交メッシュを形成するとともに、直方体セルの集合体を前記立体形状オブジェクトの解析モデルとすることで、前記三次元解析モデルを作成する、ことを特徴とする配置計画支援装置。
【請求項２】
前記直交メッシュの作成ルールおよびシミュレーションの解析条件を記憶する記憶手段をさらに備え、
前記解析モデル作成手段は、前記記憶手段から前記作成ルールを読み出すとともに、前記作成ルールに従って前記三次元解析モデルを作成し、
前記解析手段は、前記記憶手段から前記解析条件を読み出すとともに、前記計画対象物が周辺環境に及ぼす影響を前記解析条件に従ってシミュレーションする、ことを特徴とする請求項１に記載の配置計画支援装置。
【請求項３】
前記解析手段は、流体解析により、前記計画対象物周辺における流体の流れをシミュレーションする、ことを特徴とする請求項１または請求項２に記載の配置計画支援装置。
【発明の詳細な説明】
【技術分野】
【０００１】
本発明は、建物、設備機器、家具などの配置計画の作成を支援するための配置計画支援装置に関する。
【背景技術】
【０００２】
建物、設備機器、家具など（以下、「計画対象物」という。）の配置計画を立案するにあたり、ディスプレイやスクリーン等の画面に表示した計画対象物の立体形状オブジェクトを画面上において移動等させ、配置計画の代替案をリアルタイムで画面上に提示することで、関係者の合意形成を図る手法が知られている（特許文献１参照）。このような手法を利用すれば、関係者ごとに関心事や立場が異なるような場合であっても、代替案のイメージを共有しながら議論を進めることができるので、合意形成に要する手間や時間を大幅に削減することが可能になる。
【先行技術文献】
【特許文献】
【０００３】
【特許文献１】特開２００７−３３４６９８号公報
【発明の概要】
【発明が解決しようとする課題】
【０００４】
近年では、利便性や機能性といった要素に加えて、計画対象物が周辺環境に及ぼす影響（例えば、計画対象物の存在が気流や気温に及ぼす影響など）を考慮して配置計画を立案する場合がある。
【０００５】
計画対象物の存在が周辺環境に与える影響を定量的かつ客観的に把握するためには、計画対象物の配置計画に対応した数値解析用の解析モデルを作成し、コンピュータによるシミュレーション（数値解析）を行うのが好適であるが、解析モデルの作成や演算に時間が掛かるという問題がある。特に、前記した合意形成の手法では、関係者が一同に会し、配置計画そのものを修正しながら合意形成を図ることになるところ、配置計画が修正された場合には、解析モデルを作成し直し、改めてシミュレーションを行う必要があるので、合意形成の場でシミュレーション結果を迅速に提示することは極めて困難であり、したがって、シミュレーション結果が得られるまで合意形成の議論を停止せざるを得ない。多くの場合、日を改めて議論を再開することになるが、これでは迅速な合意形成を図ることができない。
【０００６】
このような観点から、本発明は、計画対象物の配置計画の作成を支援するための配置計画支援装置であって、周辺環境に与える影響を考慮した配置計画を簡易迅速に立案できるようにする配置計画支援装置を提供することを課題とする。
【課題を解決するための手段】
【０００７】
前記課題を解決する本発明は、計画対象物の立体形状オブジェクトを画面に表示する画像表示手段と、画面上において前記立体形状オブジェクトを移動させるためのポインティングデバイスと、画面上に表示された前記立体形状オブジェクトの位置および向きを反映した数値解析用の三次元解析モデルを作成する解析モデル作成手段と、前記三次元解析モデルを使用して、前記計画対象物が周辺環境に及ぼす影響をシミュレーションする解析手段と、を具備する配置計画支援装置であって、前記解析モデル作成手段は、前記立体形状オブジェクトを内包する三次元解析領域に直交メッシュを形成するとともに、直方体セルの集合体を前記立体形状オブジェクトのモデルとすることで、前記三次元解析モデルを作成する、ことを特徴とする。
【０００８】
「計画対象物」とは、建物、設備機器、家具など、配置計画の対象となっている物体を意味し、「立体形状オブジェクト」とは、３次元の座標データを利用してコンピュータに抽画させたオブジェクト（コンピュータグラフィック）を意味する。
「画像表示手段」には、各種ディスプレイのみならず、映写機（プロジェクタ）も含まれる。
「ポインティングデバイス」には、例えば、マウス、ジョイスティック、キーボード、フォースフィードバックデバイス（反力デバイス）、などが含まれる。
【０００９】
「計画対象物が周辺環境に及ぼす影響」は、適宜な解析手法によりシミュレーションすればよいが、例えば、「計画対象物周囲の気流や水流の変化」により「計画対象物が周辺環境に及ぼす影響」を評価する場合であれば、流体解析（ＣＦＤ解析）によりシミュレーションすることが望ましい。
【００１０】
本発明によれば、画面上に表示された立体形状オブジェクトの位置等を反映した三次元解析モデルが作成されるとともに、当該三次元解析モデルを使用したシミュレーションが行われ、かつ、シミュレーション結果を含む画像が画面に表示されるようになる。特に、本発明では、立体形状オブジェクトの解析モデルを直方体セルの集合体で表現するので、モデル化に要する時間とシミュレーションに要する時間とが軽減されるようになる。つまり、本発明によれば、画面上に表示された配置計画案（代替案）について、周辺環境に与える影響を即座にシミュレーションすることが可能となり、その結果をほぼリアルタイムで提示することが可能になるので、周辺環境に与える影響を考慮した配置計画を簡易迅速に立案できるようになる。
【００１１】
本発明に係る配置計画支援装置に、前記直交メッシュの作成ルール（例えば、最小メッシュ間隔、最大メッシュ間隔、Ｘ方向目標メッシュ数、Ｙ方向目標メッシュ数、Ｚ方向目標メッシュ数など）およびシミュレーションの解析条件（例えば、各種初期条件、解析時間間隔、サイクル数）を記憶する記憶手段を具備させてもよい。この場合には、前記解析モデル作成手段に、前記記憶手段から前記作成ルールを読み出す機能と、前記作成ルールに従って前記三次元解析モデルを作成する機能とを具備させるとともに、前記解析手段に、前記記憶手段から前記解析条件を読み出す機能と、前記計画対象物が周辺環境に及ぼす影響を前記解析条件に従ってシミュレーションする機能を具備させるとよい。
【００１２】
直交メッシュの作成ルールやシミュレーションの解析条件を予め規定しておけば、配置計画支援装置の使用者に煩雑な操作を強いることなく、画面上に表示された配置計画案に対するシミュレーションを速やかに実行することが可能になる。
【発明の効果】
【００１３】
本発明によれば、周辺環境に与える影響を考慮した配置計画を簡易迅速に立案できるようになる。
【図面の簡単な説明】
【００１４】
【図１】本発明の実施形態に係る配置計画支援装置を示す模式図である。
【図２】三次元解析モデルの作成手順を示すフローチャートである。
【図３】三次元解析モデルの作成手順を説明するための模式的な斜視図である。
【図４】三次元解析モデルの作成手順を説明するための模式的な図であって、図３に示した三次元解析領域の底面を上から見た状態を示す図である。
【図５】図４に続く作成手順を説明するための模式的な図であって、三次元解析領域の底面を上から見た状態を示す図である。
【図６】図５に続く作成手順を説明するための模式的な図であって、三次元解析領域の底面を上から見た状態を示す図である。
【図７】立体形状オブジェクトを直方体セルの集合体で簡略化した状態を示す模式的な斜視図である。
【図８】シミュレーション結果を表示した状態を示す模式的な斜視図である。
【発明を実施するための形態】
【００１５】
本発明の実施形態に係る配置計画支援装置１００は、建物（計画対象物）の配置計画を立案する際に使用されるものであり、建物の擬似モデルである立体形状オブジェクトＴ１〜Ｔ３を画面に表示する機能、立体形状オブジェクトＴ１〜Ｔ３を画面上において移動等させる機能、画面上に表示された立体形状オブジェクトＴ１〜Ｔ３の位置および向きを反映した数値解析用の三次元解析モデルを作成する機能、三次元解析モデルを用いて風の流れをシミュレーションする機能などを具備している。
【００１６】
本実施形態の配置計画支援装置１００は、図１に示すように、コンピュータＣと、画像表示手段Ｇと、ポインティングデバイスＰとを具備している。
【００１７】
コンピュータＣは、演算処理手段１、抽画処理手段２、記憶手段３などのほか、各種インタフェイスを備えている。
【００１８】
演算処理手段１は、演算処理を行うＭＰＵ（マイクロプロセッサ）などを含んで構成されていて、記憶手段３に記憶された各種プログラムとデータを読み込み、ＭＰＵで演算することで、オブジェクト作成手段１１、解析領域設定手段１２、解析モデル作成手段１３、ソルバー入力ファイル作成手段１４、解析手段１５などとして機能するようになる。
【００１９】
オブジェクト作成手段１１は、立体形状オブジェクトＴ１〜Ｔ３の形状や境界条件を定義するためのエディタである。オブジェクト作成手段１１は、図示は省略するが、立体形状オブジェクトＴ１〜Ｔ３の形状に関するデータ（例えば、平面形状、立面形状、寸法など）の入力を促す画面を表示するとともに、立体形状オブジェクトＴ１〜Ｔ３の境界条件に関するデータ（例えば、立体形状オブジェクトＴ１〜Ｔ３の表面の摩擦係数、温度、透過率など）の入力を促す画面を表示し、キーボード等の入力手段（図示略）を介して入力されたデータを後記するオブジェクトデータファイル３１に格納する。
【００２０】
解析領域設定手段１２は、三次元解析領域Ｒの形状や境界条件を定義するためのエディタである。なお、三次元解析領域Ｒは、影響評価を行うべき空間の擬似モデルであり、立体形状オブジェクトＴを内包するように設定される。本実施形態の三次元解析領域Ｒは、直方体形状を呈している。解析領域設定手段１２は、図示は省略するが、三次元解析領域Ｒの形状に関するデータ（例えば、平面形状、立面形状、寸法など）の入力を促す画面を表示するとともに、三次元解析領域Ｒを取り囲む境界面に設定すべき境界条件に関するデータ（例えば、摩擦係数、温度、透過率など）の入力を促す画面を表示し、キーボード等の入力手段（図示略）を介して入力されたデータを後記する領域データファイル３２に格納する。
【００２１】
解析モデル作成手段１３は、画面上に表示された立体形状オブジェクトＴ１〜Ｔ３の位置および向きを反映した数値解析用の三次元解析モデルを作成する。本実施形態の解析モデル作成手段１３は、三次元解析領域Ｒに直交メッシュを形成するとともに、直方体セルの集合体（複数の直方体セルの集まり）を立体形状オブジェクトＴの解析モデルとすることで、三次元解析モデルを作成する。
【００２２】
ソルバー入力ファイル作成手段１４は、解析モデル作成手段１３で作成した三次元解析モデルを、解析手段１５で使用可能なデータ形式に変換し、ソルバー入力ファイル３４を作成する。
【００２３】
解析手段１５は、解析モデル作成手段１３で作成された三次元解析モデルを使用して、計画対象物が周辺環境に及ぼす影響を時刻暦解析によりシミュレーションする。本実施形態の解析手段１５は、流体解析（ＣＦＤ解析）により気流の変化をシミュレーションし、その結果（例えば、各節点における風速、風向、風圧、温度など）を結果ファイル３５に出力する。
【００２４】
抽画処理手段２は、演算処理手段１から受けた抽画指令に基づいて画像表示手段Ｇで表示すべき画像データを生成するＧＰＵ（グラフィックチップ）と、生成された画像データを保持するＶＲＡＭ（ビデオメモリ）とを備えている。本実施形態の抽画処理手段２は、視点（カメラ位置）に関する情報と、オブジェクトデータファイル３１と、領域デーファイル３２とを記憶手段３から読み出し、立体形状オブジェクトＴ１〜Ｔ３や三次元解析領域Ｒを指定された視点から視認した様子を画面表示するための二次元データを生成するとともに、当該二次元データに基づいて、立体形状オブジェクトＴ１〜Ｔ３や三次元解析領域Ｒの画像データを生成する。また、抽画処理手段２は、記憶手段３から結果ファイル３５を読み出し、シミュレーション結果を画面表示するための二次元データを生成するとともに、二次元データに基づいてベクトル、コンター図、パーティクルなどの画像データを生成する。
【００２５】
記憶手段３は、各種プログラムやデータを記憶するものであり、ＲＡＭ、ＲＯＭ、ハードディスクなどにより構成されている。記憶手段３には、演算処理手段１を解析モデル作成手段１３や解析手段１５などとして機能させるための各種プログラムのほか、オブジェクトデータファイル３１、領域データファイル３２、初期設定ファイル３３、ソルバー入力ファイル３４、結果ファイル３５などが記憶される。
【００２６】
オブジェクトデータファイル３１には、立体形状オブジェクトＴ１〜Ｔ３の形状に関するデータ（例えば、平面形状、立面形状、寸法、３次元の座標データなど）、立体形状オブジェクトＴ１〜Ｔ３の表面に設定すべき境界条件に関するデータ（例えば、摩擦係数、温度、透過率など）、立体形状オブジェクトＴ１〜Ｔ３を抽画する際に必要となるデータ（例えば、色など）といった情報が格納されている。
【００２７】
領域データファイル３２には、三次元解析領域Ｒの形状に関するデータ（例えば、平面形状、立面形状、寸法、３次元の座標データなど）、三次元解析領域Ｒを取り囲む境界面に設定すべき境界条件に関するデータ（例えば、摩擦係数、温度、透過率など）、三次元境界領域Ｒを抽画する際に必要となるデータ（例えば、色など）といった情報が格納されている。
【００２８】
初期設定ファイル３３には、三次元解析モデルの作成ルールに関するデータ（例えば、最小メッシュ間隔ｄmin、最大メッシュ間隔ｄmax、最大分割数Ｎmax、Ｘ方向目標メッシュ数、Ｙ方向目標メッシュ数、Ｚ方向目標メッシュ数など）、シミュレーションの解析条件に関するデータ（例えば、風速、風の温度、初期温度、解析時間間隔、サイクル数）といった情報が格納されている。
【００２９】
画像表示手段Ｇは、抽画処理手段２から出力された画像データに基づいて画像を表示するものであり、適宜なインタフェイスを介してコンピュータＣと接続されている。本実施形態の画像表示手段Ｇは、スクリーン（画面）に画像を投影するプロジェクタからなる。
【００３０】
ポインティングデバイスＰは、画面上において立体形状オブジェクトＴ１〜Ｔ３および三次元解析領域Ｒを移動、回転、変形させる際に使用するものであり、適宜なインタフェイスを介してコンピュータＣと接続されている。ポインティングデバイスＰは、画面上に表示されるポインタ（カーソル）と連動していて、画面上において各種指令をコンピュータＣに入力することができる。立体形状オブジェクトＴ１〜Ｔ３や三次元解析領域Ｒを移動等させる際の操作方法は、操作者等のニーズに応じて適宜設定すればよいが、例えば、立体形状オブジェクトＴ１〜Ｔ３を選択した状態でドラッグ等の操作を行うことで、立体形状オブジェクトＴ１〜Ｔ３を任意の位置に移動等させることができる。なお、移動、回転または変形後における立体形状オブジェクトＴ１〜Ｔ３に関するデータは、オブジェクトデータファイル３１に格納され、三次元解析領域Ｒに関するデータは、領域データファイル３２に格納される。
【００３１】
次に、図２〜図７を参照して、解析モデル作成手段１３の機能を具体的に説明する。
本実施形態の解析モデル作成手段１３は、記憶手段３の中から直交メッシュの作成ルールを読み出し、図２のフローチャートに示すステップＳ１〜Ｓ１０を実行することで、三次元解析モデルを作成する。
【００３２】
解析モデル作成手段１３は、図３に示すように、立体形状オブジェクトＴ１の外面上に設けた強制節点ａ，ａ，…を通る直交メッシュを作成するとともに、図３では図示を省略しているが、立体形状オブジェクトＴ２，Ｔ３の外面上に設けた強制節点ａ，ａ，…を通る直交メッシュを作成する（ステップＳ１）。すなわち、解析モデル作成手段１３は、複数の強制節点ａ，ａ，…のそれぞれにおいて強制節点ａを通る三つの平面（Ｘ軸を法線とする平面、Ｙ軸を法線とする平面、Ｚ軸を法線とする平面）を形成することで、直方体形状の三次元解析領域Ｒを複数の直方体セルに分割する。本実施形態では、立体形状オブジェクトＴ１〜Ｔ３の頂点を強制節点ａとしているが、頂点以外に強制節点を設定しても勿論差し支えない。なお、図４は、ステップＳ１を経た後の三次元解析領域の底面を上から見た図であり、図中に示した線分ｙ１は、Ｘ軸を法線とする平面と底面との交線であり、線分ｘ１は、Ｙ軸を法線とする平面と底面との交線である。
【００３３】
続いて、解析モデル作成手段１３は、初期設定ファイル３３に定義されている最大メッシュ間隔ｄmaxを読み出したうえで、ステップＳ１で作成した複数の直方体セルのそれぞれについて、直方体セルの各辺の長さ寸法が最大メッシュ間隔ｄmax以下になっているか否かを判定する（ステップＳ２）。すなわち、解析モデル作成手段１３は、直方体セルのＸ軸方向の長さ寸法、Ｙ軸方向の長さ寸法およびＺ軸方向の長さ寸法のそれぞれについて、最大メッシュ間隔ｄmax以下の寸法であるか否かを判定する。
【００３４】
ステップＳ２において「Ｎｏ」と判定された場合には、ステップＳ３に進み、最大メッシュ間隔ｄmaxよりも大きい辺が含まれている直方体セル群（図４においてハッチングを付した直方体セル群）を、最大メッシュ間隔ｄmaxよりも大きいと判定された辺に直交する面で分割する。本実施形態では、最大メッシュ間隔ｄmaxよりも大きい辺を２等分することで、各直方体セルを２つに分割する（図５に示す線分ｙ２）。なお、図示は省略するが、最大メッシュ間隔ｄmaxよりも大きい辺をｎ等分しても差し支えない。
【００３５】
ステップＳ２において「Ｙｅｓ」と判定された場合には、メッシュの分割数Ｎ（直方体セルの個数）をカウントし、分割数Ｎが最大分割数Ｎmaxを超えたか否かを判定する（ステップＳ４）。
【００３６】
分割数Ｎが最大分割数Ｎmaxを超えていない（Ｎｏ）と判定されたならば、強制頂点ａを通る平面の両側に新たな直交メッシュを追加する（ステップＳ５）。追加する直交メッシュのメッシュ間隔は、初期設定ファイル３３に定義されている最小メッシュ間隔ｄminとする。図５において、ハッチングを付した位置の直方体セル群が、ステップＳ５により新たに作成された直方体セル群である。
【００３７】
続いて、解析モデル作成１３は、ステップＳ５を経た後におけるメッシュの分割数Ｎ（直方体セルの個数）をカウントし、分割数Ｎが最大分割数Ｎmaxを超えたか否かを判定する（ステップＳ６）。
【００３８】
分割数Ｎが最大分割数Ｎmaxを超えていない（Ｎｏ）と判定されたならば、予め規定したルールに従って、ステップＳ５までに作成された直方体セルを分割する（ステップＳ７）。ステップＳ７における分割のルールに制限はないが、例えば、最小メッシュ間隔ｄminの２倍よりも大きいＸ軸方向（またはＹ軸方向）の辺が含まれている直方体セル群を抽出し、最も大きいＸ軸方向（またはＹ軸方向）の辺を有する直方体セル群を、Ｘ軸（またはＹ軸）に直交する面で２等分する方法や、最小メッシュ間隔ｄminの２倍よりも大きいＺ軸方向の辺が含まれている直方体セル群を抽出し、そのうちの最下層に位置する直方体セル群を、Ｚ軸に直交する面で２等分する方法などがある。
【００３９】
ステップＳ４またはステップＳ６において、分割数Ｎが最大分割数Ｎmaxを超えた（Ｙｅｓ）と判定されたならば、ステップＳ１〜Ｓ７で形成された複数の直方体セルの中から、立体形状オブジェクトＴ１〜Ｔ３に対応する直方体セルを抽出する（ステップＳ８）。本実施形態の解析モデル作成手段１３は、直方体セルの中心点（重心点）が立体形状オブジェクトＴ１〜Ｔ３の表面（輪郭面）よりも内側に位置しているか否かを判定し、中心点（重心点）が立体形状オブジェクトＴ１〜Ｔ３の表面よりも内側に位置している直方体セル（図６においてハッチングを付した位置の直方体セル）を、立体形状オブジェクトＴ１〜Ｔ３に対応する直方体セルとして抽出する。
【００４０】
次に、解析モデル作成手段１３は、オブジェクトデータファイル３１の中から、立体形状オブジェクトＴ１〜Ｔ３の表面に設定すべき境界条件に関するデータ（例えば、摩擦係数、温度、透過率など）を読み出し、読み出したデータに基づいて、直方体セルの集合体Ｔ１’〜Ｔ３’の外面に境界条件を付与する。
【００４１】
ステップＳ８，Ｓ９を経ると、立体形状オブジェクトＴ１〜Ｔ３のそれぞれが、図７に示すような直方体セルの集合体Ｔ１’〜Ｔ３’で表現されることになるが、集合体Ｔ１’〜Ｔ３’は、立体形状オブジェクトＴ１〜Ｔ３の位置および向きを反映したものとなる。
【００４２】
次に、解析モデル作成手段１３は、領域データファイル３２の中から、三次元解析領域Ｒの境界面に設定すべき境界条件に関するデータ（例えば、摩擦係数、温度、透過率など）を読み出し、読み出したデータに基づいて、三次元解析領域Ｒの境界面に境界条件を付与する。
【００４３】
なお、ステップＳ１〜Ｓ１０を経ることで得られた三次元解析モデルに関するデータは、記憶手段３に記憶される。
【００４４】
次に、配置計画支援装置１００を使用した配置計画の立案手順を説明する。
まず、配置計画支援装置１００を起動し、オブジェクト作成手段１１により、立体形状オブジェクトＴの基本形状（平面形状、立面形状、寸法など）や境界条件を定義する。オブジェクト作成手段１１により定義された立体形状オブジェクトＴに関するデータは、オブジェクトデータファイル３１に格納される。なお、立体形状オブジェクトＴの基本形状等を定義する作業は、関係者が一同に会する前に事前に行っておくことが望ましい。
【００４５】
次に、関係者が一同に会した場において、立体形状オブジェクトＴ１〜Ｔ３を画面に表示する。
【００４６】
立体形状オブジェクトＴ１〜Ｔ３を見ながら議論を行った結果、関係者の中から代替案が提案されたならば、ポインティングデバイスＰを操作し、画面上において立体形状オブジェクトＴ１〜Ｔ３を移動、回転、変形させる。配置計画の代替案がリアルタイムで画面上に提示されるようになるので、代替案のイメージを共有しながら議論を進めることができる。なお、移動、回転または変形後における立体形状オブジェクトＴ１〜Ｔ３に関するデータは、随時、オブジェクトデータファイル３１に格納される。
【００４７】
おおよその合意形成がなされたならば、当該配置計画を実施した際に建物が周辺環境に及ぼす影響（本実施形態では気流の変化）を評価する過程に移行する。
【００４８】
当該過程では、まず、三次元解析領域Ｒの形状・大きさや、三次元解析領域Ｒに付与すべき風の向き等を設定する。なお、本実施形態では、三次元解析領域Ｒの一の境界面（本実施形態では左側面）を風上としているので、風向きを変更する場合には、ポインティングデバイスＰを操作し、画面上において三次元解析領域Ｒを回転させる。
【００４９】
次に、ポインティングデバイスＰまたは図示せぬ入力手段を介して、シミュレーション開始指令を入力する。シミュレーション開始指令を入力すると、解析モデル作成用のプログラムが演算処理手段１に読み込まれ、演算処理手段１が解析モデル作成手段１３として機能する結果、立体形状オブジェクトＴ１〜Ｔ３の位置および向きを反映した三次元解析モデルが作成される。
【００５０】
三次元解析モデルが作成されると、ソルバー入力ファイル作成用のプログラムが演算処理手段１に読み込まれ、演算処理手段１がソルバー入力ファイル作成手段１４として機能する。ソルバー入力ファイル作成手段１４の働きにより、三次元解析モデルに関するデータが解析手段１５で使用されるデータ形式に変換され、ソルバー入力ファイル３４が作成される。ソルバー入力ファイル３４は、記憶手段３に記憶される。
【００５１】
ソルバー入力ファイル３４が作成されると、流体解析用のプログラムが演算処理手段１に読み込まれ、演算処理手段１が解析手段１５として機能するようになる。解析手段１５は、記憶手段３の中から、初期設定ファイル３３に格納されたシミュレーションの解析条件に関するデータ（例えば、風速、風の温度、初期温度、解析時間間隔、サイクル数）およびソルバー入力ファイル３４に格納された三次元解析モデルのデータを読み込み、その後、流体解析（ＣＦＤ解析）により気流の変化をシミュレーションする。
【００５２】
解析手段１５によりシミュレーションが行われると、その結果が結果ファイル３５に出力される。
【００５３】
流体解析が終了すると、抽画処理手段２によりシミュレーション結果を表すベクトル、コンター図、パーティクルなどの画像データが生成され、図８に示すように、三次元解析モデル中の集合体Ｔ１’〜Ｔ３’とともに画面に表示される。なお、図１に示す画像（立体形状オブジェクトＴ１〜Ｔ３）にシミュレーション結果を重畳表示してもよい。
【００５４】
シミュレーション結果が画面に表示されたならば、関係者による議論を再開し、代替案の妥当性などを検討する。合意形成に至らぬ場合には、ポインティングデバイスＰを操作して、他の代替案を画面上に表示し、再度、三次元解析モデルの作成とシミュレーションを行えばよい。
【００５５】
このように配置計画支援装置１００によれば、画面上に表示された立体形状オブジェクトＴ１〜Ｔ３の位置等を反映した三次元解析モデルが作成されるとともに、当該三次元解析モデルを使用したシミュレーションが行われ、かつ、シミュレーション結果を含む画像が画面に表示されるようになる。
【００５６】
特に、配置計画支援装置１００によれば、立体形状オブジェクトＴ１〜Ｔ３の解析モデルが直方体セルの集合体Ｔ１’〜Ｔ３’で表現されるので、モデル化に要する時間とシミュレーションに要する時間とが軽減されるようになる。つまり、配置計画支援装置１００によれば、画面上に表示された配置計画案（代替案）について、周辺環境に与える影響を即座にシミュレーションすることが可能となり、その結果をほぼリアルタイムで提示することが可能になるので、周辺環境に与える影響を考慮した配置計画を簡易迅速に立案できるようになる。
【００５７】
また、配置計画支援装置１００によれば、直交メッシュの作成ルールやシミュレーションの解析条件が予め規定されているので、配置計画支援装置１００の使用者に煩雑な操作を強いることなく、画面上に表示された配置計画案に対するシミュレーションを速やかに実行することが可能になる。
【符号の説明】
【００５８】
Ｃ      コンピュータ
１３    解析モデル作成手段
１５    解析手段
３      記憶手段
Ｇ      画像表示手段
Ｐ      ポインティングデバイス
Ｔ１〜Ｔ３    立体形状オブジェクト
Ｔ１’〜Ｔ３’  直方体セルの集合体
Ｒ      三次元解析領域
【図１】
2010262497.tif 000003
【図２】
2010262497.tif 000004
【図３】
2010262497.tif 000005
【図４】
2010262497.tif 000006
【図５】
2010262497.tif 000007
【図６】
2010262497.tif 000008
【図７】
2010262497.tif 000009
【図８】
2010262497.tif 000010